(57)【要約】【課題】操作性の低下を抑えることができる超音波診断装置を提供する。【解決手段】超音波診断装置１において、装置本体２と、装置本体２に設けられ超音波画像を表示する表示部３と、装置本体２に設けられた装置側コネクタ２ａと、装置側コネクタ２ａに着脱可能に接続される探触子側コネクタ６ｂを有し、探触子側コネクタ６ｂにケーブル６ａを介して接続され超音波を送受信する超音波探触子６とを備え、探触子側コネクタ６ｂ及び装置側コネクタ２ａは、探触子側コネクタ６ｂを１８０度反転させて装置側コネクタ２ａに接続した場合でも、超音波の送受信が可能な構造に形成されている。【選択図】図１
2010022664.tif 000002
【特許請求の範囲】
【請求項１】
装置本体と、
前記装置本体に設けられ、超音波画像を表示する表示部と、
前記装置本体に設けられた装置側コネクタと、
前記装置側コネクタに着脱可能に接続される探触子側コネクタを有し、前記探触子側コネクタにケーブルを介して接続され、超音波を送受信する超音波探触子と、
を備え、
前記探触子側コネクタ及び前記装置側コネクタは、前記探触子側コネクタを１８０度反転させて前記装置側コネクタに接続した場合でも、前記超音波の送受信が可能な構造に形成されていることを特徴とする超音波診断装置。
【請求項２】
前記探触子側コネクタを１８０度反転させて前記装置側コネクタに接続したことを検出する手段を備えることを特徴とする請求項１記載の超音波診断装置。
【請求項３】
前記探触子側コネクタを１８０度反転させて前記装置側コネクタに接続したことが検出された場合、前記超音波画像の表示変更を行い、前記探触子側コネクタの反転前と同じように前記超音波画像の表示を行う手段を備えることを特徴とする請求項２記載の超音波診断装置。
【請求項４】
前記探触子側コネクタを１８０度反転させて前記装置側コネクタに接続したことが検出された場合、前記超音波の送受信の変更を行い、前記探触子側コネクタの反転前と同じように前記超音波画像の表示を行う手段を備えることを特徴とする請求項２記載の超音波診断装置。
【請求項５】
前記探触子側コネクタ及び前記装置側コネクタは、前記探触子側コネクタを１８０度反転させて前記装置側コネクタに接続した場合でも、前記探触子側コネクタの反転前と同じように前記超音波画像の表示が可能な構造に形成されていることを特徴とする請求項１記載の超音波診断装置。
【請求項６】
前記探触子側コネクタ及び前記装置側コネクタは、前記超音波の送受信を反転させることによって前記探触子側コネクタの反転前と同じように前記超音波画像の表示が可能な構造に形成されていることを特徴とする請求項５記載の超音波診断装置。
【請求項７】
前記表示部は前記装置本体に回転可能に設けられていることを特徴とする請求項１ないし６のいずれか一項に記載の超音波診断装置。
【請求項８】
装置本体、前記装置本体に設けられ超音波画像を表示する表示部及び前記装置本体に設けられた装置側コネクタを備える超音波診断装置における前記装置側コネクタに着脱可能に接続される探触子側コネクタを有し、前記探触子側コネクタにケーブルを介して接続され、超音波を送受信する超音波探触子であって、
前記探触子側コネクタは、１８０度反転して前記装置側コネクタに接続された場合でも、前記超音波の送受信が可能な構造に形成されていることを特徴とする超音波探触子。
【請求項９】
前記探触子側コネクタは、１８０度反転して前記装置側コネクタに接続された場合でも、前記探触子側コネクタの反転前と同じように前記超音波画像の表示が可能な構造に形成されていることを特徴とする請求項８記載の超音波探触子。
【請求項１０】
前記探触子側コネクタは、１８０度反転して前記装置側コネクタに接続されたことを検出することが可能な構造に形成されていることを特徴とする請求項８又は９記載の超音波探触子。
【発明の詳細な説明】
【技術分野】
【０００１】
本発明は、超音波診断装置及び超音波探触子に関する。
【背景技術】
【０００２】
超音波診断装置は、超音波を送受信する超音波探触子により被検体内を超音波で走査し、被検体内からの反射波（エコー波）を受波し、反射波の強度分布を輝度情報に変換して受信信号を生成し、生成した受信信号を基に被検体の内部状態を画像化する装置である（例えば、特許文献１参照）。
【０００３】
超音波探触子は、通常、超音波診断装置にケーブルを介して着脱可能に接続される。ケーブルの一端には、超音波診断装置との接続に用いる探触子側コネクタが設けられている。この探触子側コネクタが超音波診断装置の装置側コネクタに挿入され、超音波探触子は超音波診断装置に電気的に接続される。
【特許文献１】特開２００６−２６０４６号公報
【発明の開示】
【発明が解決しようとする課題】
【０００４】
しかしながら、通常、装置側コネクタに対する探触子側コネクタの接続方向は一方向に固定されている。すなわち、装置側コネクタの多数ピンと探触子側コネクタの多数ピンとでは、互いの接続相手が決まっている。
【０００５】
例えば、持ち運び可能な小型の超音波診断装置では、探触子側コネクタの接続方向は、探触子側コネクタの接続完了状態でその探触子側コネクタから伸びるケーブルが接続部分から患者方向に向かうように固定されている。
【０００６】
この小型の超音波診断装置の装置本体には、超音波画像を表示する表示部（ディスプレイ）が二軸ヒンジにより回転可能に設けられていたり、あるいは、表示パネル（表示部）がスライドして操作パネルを覆うように設けられたりしている。このため、場合によっては、超音波診断装置を天地反対に使用することがある。この天地反対での使用の際には、壁掛けや天井からの吊下げなどにより床面から高い位置で超音波診断装置を使用する場合がある。
【０００７】
天地反対で前述の小型の超音波診断装置を使用する場合には、探触子側コネクタから伸びるケーブルが接続部分から一度患者とは反対方向（上方）に向かい、その後患者方向（下方）に向かうことなる。したがって、ケーブルは一度患者から遠ざかることになり、スムーズに検査を行うために必要なケーブルの長さが不十分となるため、操作性が低下してしまう。また、操作者が無理にケーブルを引き回したりしてケーブルに負荷がかかってしまうこともある。
【０００８】
本発明は上記に鑑みてなされたものであり、その目的は、操作性の低下を抑えることができる超音波診断装置及び超音波探触子を提供することである。
【課題を解決するための手段】
【０００９】
請求項１記載の発明の特徴は、超音波診断装置において、装置本体と、装置本体に設けられ、超音波画像を表示する表示部と、装置本体に設けられた装置側コネクタと、装置側コネクタに着脱可能に接続される探触子側コネクタを有し、探触子側コネクタにケーブルを介して接続され、超音波を送受信する超音波探触子と、を備え、探触子側コネクタ及び装置側コネクタは、探触子側コネクタを１８０度反転させて装置側コネクタに接続した場合でも、超音波の送受信が可能な構造に形成されていることである。
【００１０】
請求項８記載の発明の特徴は、装置本体、装置本体に設けられ超音波画像を表示する表示部及び装置本体に設けられた装置側コネクタを備える超音波診断装置における装置側コネクタに着脱可能に接続される探触子側コネクタを有し、探触子側コネクタにケーブルを介して接続され、超音波を送受信する超音波探触子であって、探触子側コネクタは、１８０度反転して装置側コネクタに接続された場合でも、超音波の送受信が可能な構造に形成されていることである。
【発明の効果】
【００１１】
本発明によれば、操作性の低下を抑えることができる超音波診断装置及び超音波探触子を提供することができる。
【発明を実施するための最良の形態】
【００１２】
（第１の実施の形態）
本発明の第１の実施の形態について図１ないし図３を参照して説明する。
【００１３】
図１及び図２に示すように、本発明の第１の実施の形態に係る超音波診断装置１は、持ち運び可能な小型の装置本体２と、その装置本体２に回転可能に設けられ画像を表示する表示部３と、その装置本体２に設けられ医師などの操作者により入力操作される入力部４と、装置本体２に内蔵され各部を制御する制御部５とを備えている。
【００１４】
装置本体２は、持ち運び可能な大きさに形成された筐体である。この装置本体２の側面には、接続用の装置側コネクタ２ａが設けられている。この装置側コネクタ２ａには、超音波を送受信する超音波探触子６がケーブル６ａ及び探触子側コネクタ６ｂを介して接続される。
【００１５】
超音波探触子６は、装置本体２の装置側コネクタ２ａに着脱可能に形成された探触子側コネクタ６ｂに接続線としてのケーブル６ａを介して接続されている。探触子側コネクタ６ｂが装置本体２の装置側コネクタ２ａに接続されると、超音波探触子６はケーブル６ａ及び探触子側コネクタ６ｂを介して超音波診断装置１に電気的に接続される。
【００１６】
この超音波探触子６は、圧電素子などの材料により形成された複数の超音波振動子を備えており、それらの超音波振動子により被検体に対して超音波を送信し、被検体からの反射波をエコー信号として受信する機器である。この超音波探触子６は、医者などの操作者により患者などの被検体の表面にあてられ、その状態で超音波の送信及び反射波の受信を行う。
【００１７】
表示部３は、被検体の検査部位に関する画像（超音波画像）などの各種画像を表示面３ａに表示する表示装置である。この表示部３は、例えば二軸ヒンジなどにより二軸方向に回転可能に装置本体２に設けられている（図１中の矢印方向参照）。これにより、表示面３ａが向く方向を自在に変更することができる。また、表示部３は、装置本体２に向かって閉じられた状態で入力部４を覆うことが可能に装置本体２に配置されている。なお、表示部３としては、例えば、液晶ディスプレイや有機ＥＬ（エレクトロルミネッセンス）ディスプレイなどを用いる。
【００１８】
ここで、超音波診断装置１は、図１に示すように、患者などの被検体が横たわるベッド脇にある支持台Ａ１上に載置されたり、図２に示すように、支持部材としてのスタンドＡ２に設置されたり、あるいは、壁掛けや天井からの吊下げなどにより所定の高さ位置に設置されたりする。図２に示す装置本体２は、図１に示す装置本体２の天地が反対になった状態となっている。詳しくは、図１に示す表示部３は、表示面３ａが外部を向いて入力部４を覆うように操作者により回転させられ、装置本体２に向かって閉じられる。その後、装置本体２の天地が反転され、図２に示すように、超音波診断装置１はスタンドＡ２に設置される。
【００１９】
図１に戻り、入力部４は、医師などの操作者による入力操作を受け付ける操作部である。この入力部４は、スイッチやボタン、トラックボールなどを有している。操作者は、検査モードの選択や撮影モードの選択、撮影開始、撮影終了などの各種指示を行うために入力部４を入力操作する。
【００２０】
制御部５は、各部を集中的に制御するＣＰＵ（Central Processing Unit）、及び、各種プログラムや各種情報を記憶する記憶部などを備えている。この記憶部としては、例えば、ＲＯＭ（Read Only Memory）やＲＡＭ（Random Access Memory）、フラッシュメモリなど、さらに、ＨＤＤ（ハードディスクドライブ）や記録可能なＤＶＤ（Digital Video Disc/Digital Versatile Disc）レコーダなどを用いる。
【００２１】
この制御部５は、通常、ＢＩＯＳに基づいて起動プログラムを読み出して実行し、記憶部に格納されている基本ソフトウェアであるＯＳ（オペレーティングシステム）を起動する。その後、制御部５は、記憶部に格納されている各種プログラムや各種データに基づいて、データの計算又は加工などを行う一連のデータ処理、画像を表示する画像表示処理及び撮影を行う撮影処理などを実行する。
【００２２】
特に、制御部５は、超音波探触子６に対する駆動信号（励起信号としての電気パルス信号）の送信及び超音波探触子６からの反射信号（エコー信号）の受信を行い、受信した反射信号に基づいて被検体の検査対象部位の画像（Ｂモード画像データやカラードプラ画像データなどの画像データ）を生成し、生成した画像を表示部３に表示する。
【００２３】
次に、超音波探触子６の探触子側コネクタ６ｂと装置本体２の装置側コネクタ２ａとの接続構造について説明する。
【００２４】
図３に示すように、探触子側コネクタ６ｂ及び装置側コネクタ２ａは、探触子側コネクタ６ｂを装置側コネクタ２ａに１８０度反転させて接続した場合でも、超音波の送受信が可能な構造に形成されている。このとき、探触子側コネクタ６ｂは、装置側コネクタ２ａに対する探触子側コネクタ６ｂの着脱方向（抜き差し方向）に直交する面内で１８０度回転する。すなわち、探触子側コネクタ６ｂの接続方向が１８０度反転する。
【００２５】
探触子側コネクタ６ｂには、第１の信号ブロックＲａ１及び第２の信号ブロックＲａ２がロック棒Ｓを間にして設けられている。これらの第１の信号ブロックＲａ１及び第２の信号ブロックＲａ２には、接触端子としての複数の雄ピン（信号番号：１、２、・・・、１９１、１９２、ＩＤあ、ＩＤい、・・・、ＩＤア、ＩＤイ、・・・）が設けられている。これらの雄ピンはケーブル６ａを介して超音波探触子６（各超音波振動子）に電気的に接続されている。
【００２６】
装置側コネクタ２ａにも、第１の信号ブロックＲｂ１及び第２の信号ブロックＲｂ２がロック孔Ｈを間にして設けられている。これらの第１の信号ブロックＲｂ１及び第２の信号ブロックＲｂ２には、接触端子としての複数の雌ピンが設けられている。これらの雌ピンは装置信号線（図示せず）を介して制御部５に電気的に接続されている。
【００２７】
ここで、ロック棒Ｓは、装置本体２の装置側コネクタ２ａに形成されたロック孔Ｈに挿入されて回転すると、ロック棒Ｓの先端部側に突設されたロックピン（図示せず）がロック孔Ｈの内部に係合される。これにより、超音波探触子６の探触子側コネクタ６ｂが装置側コネクタ２ａに固定される。なお、ロック棒Ｓの一端は、操作者により回転操作されるレバーＬ（図１参照）に固定されている。したがって、操作者はレバーＬを回転操作し、装置側コネクタ２ａに対する探触子側コネクタ６ｂの固定及び解除を行う。
【００２８】
探触子側コネクタ６ｂの信号配置は、端子位置がロック棒Ｓの回転軸に対して点対象となるように行われている。点対象部分の回転軸を間にして半分ずつの信号配置が行われ、一方側の第１の信号ブロックＲａ１では、信号番号が図３中の左上から右に向かって最小信号番号から連番で増加し、何度か行を変えて図３の中の左から右に向かって連番で増加し、最後に半分の信号番号となる（１〜９６）。
【００２９】
他方側の第２の信号ブロックＲａ２では、信号番号が図３中の左上から右に向かって半分の信号番号から連番で増加し、何度か行を変えて図３中の左から右に向かって連番で増加し、最後に最大信号番号となる（９７〜１９２）。なお、最大信号番号は最小信号番号と対象の位置に配置される。
【００３０】
また、探触子側コネクタ６ｂが１８０度回転した状態を電気的に区別するため、識別番号であるＩＤ（ＩＤあ、ＩＤい、…、及び、ＩＤア、ＩＤイ、…）が付与され、判別用の信号が検出可能になっている。
【００３１】
制御部５は、前述のＩＤに応じた判別用の信号を用いて、探触子側コネクタ６ｂが１８０度反転して装置側コネクタ２ａに接続されたことを検出する。その後、制御部５は、探触子側コネクタ６ｂが１８０度反転して装置側コネクタ２ａに接続されたことを検出した場合、超音波画像の表示変更を行い、探触子側コネクタ６ｂの反転前と同じように超音波画像の表示を行う。例えば、制御部５は、表示系へのデータの移送時又はデータを保存するメモリへの書込時などにデータを反転させて超音波画像の表示変更を行う。
【００３２】
あるいは、制御部５は、探触子側コネクタ６ｂが１８０度反転して装置側コネクタ２ａに接続されたことを検出した場合、超音波の送受信の変更（例えば、送受信の反転）を行い、探触子側コネクタ６ｂの反転前と同じように超音波画像の表示を行う。
【００３３】
次に、前述の超音波診断装置１に対する超音波探触子６の取り付けについて説明する。
【００３４】
図１に示すように、超音波診断装置１が支持台Ａ１上に載置された場合には、探触子側コネクタ６ｂは、その探触子側コネクタ６ｂから伸びるケーブル６ａが接続部分から患者方向（装置手前方向）に向かうように装置側コネクタ２ａに接続される。これにより、スムーズな検査を行うために必要なケーブルの長さが確保されるので、医師などの操作者は超音波探触子６を用いて快適に検査を行うことができる。
【００３５】
図２に示すように、超音波診断装置１がスタンドＡ２に設置された場合にも（図２に示す装置本体２は、図１に示す装置本体２の天地が反転した状態である）、探触子側コネクタ６ｂは、その探触子側コネクタ６ｂから伸びるケーブル６ａが接続部分から患者方向（下方）に向かうように装置側コネクタ２ａに接続される。これにより、装置本体２の天地が反転した状態でも、スムーズな検査を行うために必要なケーブルの長さが確保されるので、医師などの操作者は超音波探触子６を用いて快適に検査を行うことができる。
【００３６】
このような接続構造を採用することによって、従来の接続において装置本体２を天地反対に使用した場合にケーブル６ａが患者から離れる方向に向かい操作性が悪くなってしまうことに対し、その天地反対の場合でもケーブル６ａは患者に近づく方向に向かうことになるので、天地反対となる前と同様の操作性を得ることができる。さらに、ケーブル６ａは患者に近づく方向に向かうことになるので、操作者が無理にケーブル６ａを引き回したりしてケーブル６ａに負荷がかかってしまうことを防止することができる。
【００３７】
また、装置本体２を天地反対に使用した場合でも、探触子側コネクタ６ｂの反転が検出され、探触子側コネクタ６ｂの反転前と同じように超音波画像の表示が行われるので、探触子側コネクタ６ｂが１８０度反転して装置側コネクタ２ａに接続された場合に発生する超音波画像の左右反転を防止することができる。
【００３８】
以上説明したように、本発明の第１の実施の形態によれば、超音波探触子６の探触子側コネクタ６ｂ及び装置本体２の装置側コネクタ２ａが、探触子側コネクタ６ｂを装置側コネクタ２ａに１８０度反転させて接続した場合でも、超音波の送受信が可能な構造に形成されていることから、例えば装置本体２を天地反対に使用した場合でも、探触子側コネクタ６ｂを、その探触子側コネクタ６ｂから伸びるケーブル６ａが接続部分から患者方向（下方）に向かうように装置側コネクタ２ａに接続することが可能となる。これにより、ケーブル６ａは患者に近づく方向に向かい、天地反対前と同様の操作性を得ることが可能になるので、操作性の低下を抑えることができる。
【００３９】
また、探触子側コネクタ６ｂを１８０度反転させて装置側コネクタ２ａに接続したことを検出する手段を設け、接続したことを検出した場合、超音波画像の表示変更あるいは超音波の送受信の変更を行い、探触子側コネクタ６ｂの反転前と同じように超音波画像の表示を行うことから、装置本体２を天地反対に使用した場合でも、探触子側コネクタ６ｂの反転が検出され、探触子側コネクタ６ｂの反転前と同じように超音波画像の表示が行われるので、探触子側コネクタ６ｂの反転接続により発生する超音波画像の左右反転を防止することができる。
【００４０】
（第２の実施の形態）
本発明の第２の実施の形態について図４を参照して説明する。
【００４１】
本発明の第２の実施の形態は第１の実施の形態と基本的に同じである。したがって、第２の実施の形態では、第１の実施の形態と異なる部分について説明する。なお、第２の実施の形態においては、第１の実施の形態で説明した部分と同じ部分の説明を省略する。
【００４２】
図４に示すように、本発明の第２の実施の形態では、探触子側コネクタ６ｂ及び装置側コネクタ２ａは、探触子側コネクタ６ｂを１８０度反転させて装置側コネクタ２ａに接続した場合でも、超音波の送受信が可能な構造に加え、探触子側コネクタ６ｂの反転前と同じように超音波画像の表示が可能な構造に形成されている。このとき、探触子側コネクタ６ｂは、装置側コネクタ２ａに対する探触子側コネクタ６ｂの着脱方向（抜き差し方向）に直交する面内で１８０度回転する。すなわち、探触子側コネクタ６ｂの接続方向が１８０度反転する。
【００４３】
第１の信号ブロックＲａ１及び第２の信号ブロックＲａ２には、接触端子としての複数の雄ピン（信号番号：１、２、・・・、１９１、１９２、ＩＤａ、ＩＤｂ、・・・、信号番号：１、２、・・・、１９１、１９２、ＩＤｘ、ＩＤｙ、・・・）が設けられている。これらの雄ピンはケーブル６ａを介して超音波探触子６（各超音波振動子）に電気的に接続されている。
【００４４】
第１の信号ブロックＲｂ１及び第２の信号ブロックＲｂ２には、接触端子としての複数の雌ピンが設けられている。第１の信号ブロックＲｂ１の各雌ピンは装置信号線（図示せず）を介して制御部５に電気的に接続されており、第２の信号ブロックＲｂ２の各雌ピンは制御部５に電気的に接続されていない。
【００４５】
探触子側コネクタ６ｂの信号配置は、端子位置がロック棒Ｓの回転軸に対して点対象となるように行われている。点対象部分の回転軸を間にして半分ずつの信号配置が行われ、一方側の第１の信号ブロックＲａ１では、信号番号が図４中の左上から右に向かって最小信号番号から連番で増加し、何度か行を変えて図４の中の左から右に向かって連番で増加し、最後に最大信号番号となる（１〜１９２）。
【００４６】
他方側の第２の信号ブロックＲａ２でも、信号番号が図４中の右下から左に向かって最小信号番号から連番で増加し、何度か行を変えて図４の中の右から左に向かって連番で増加し、最後に最大信号番号となる（１〜１９２）。
【００４７】
また、探触子側コネクタ６ｂが１８０度回転した状態を電気的に区別するため、識別番号であるＩＤ（ＩＤａ、ＩＤｂ、…、及び、ＩＤｘ、ＩＤｙ、…）が付与され、判別用の信号が検出可能になっている。
【００４８】
このような接続構造を採用することによって、従来の接続において装置本体２を天地反対に使用した場合にケーブル６ａが患者から離れる方向に向かい操作性が悪くなってしまうことに対し、その天地反対の場合でもケーブル６ａは患者に近づく方向に向かうことになるので、天地反対となる前と同様の操作性を得ることができる。
【００４９】
さらに、装置本体２を天地反対に使用した場合でも、天地反対となる前と同様の接続が得られるので、探触子側コネクタ６ｂが１８０度反転して装置側コネクタ２ａに接続された場合に発生する超音波画像の左右反転を防止することができる。
【００５０】
以上説明したように、本発明の第２の実施の形態によれば、第１の実施の形態と同様な効果を得ることができる。また、装置本体２を天地反対に使用した場合でも、天地反対となる前と同様の接続が得られるので、探触子側コネクタ６ｂの反転接続により発生する超音波画像の左右反転を防止することができる。
【００５１】
（第３の実施の形態）
本発明の第３の実施の形態について図５を参照して説明する。
【００５２】
本発明の第３の実施の形態は第１の実施の形態と基本的に同じである。したがって、第３の実施の形態では、第１の実施の形態と異なる部分について説明する。なお、第３の実施の形態においては、第１の実施の形態で説明した部分と同じ部分の説明を省略する。
【００５３】
図５に示すように、本発明の第３の実施の形態では、突起部６ｂ１が探触子側コネクタ６ｂの側面に設けられ、突没可能なピン２ａ１が装置側コネクタ２ａに設けられている。このピン２ａ１は、探触子側コネクタ６ｂが装置側コネクタ２ａに接続された状態で突起部６ｂ１により押下される。ピン２ａ１は、探触子側コネクタ６ｂの反転検出用のスイッチとして機能する。制御部５は、ピン２ａ１が押下されると、探触子側コネクタ６ｂが１８０度反転して装置側コネクタ２ａに接続されたと判断し、第１の実施の形態と同様、探触子側コネクタ６ｂの反転前と同じように超音波画像の表示を行う。
【００５４】
なお、本実施の形態においては、突起部６ｂ１及びピン２ａ１による反転検出を行っているが、これに限るものではなく、例えば、光や磁気を用いた検出を行うようにしてもよい。また、超音波診断装置１側で反転検出を行っているが、これに限るものではなく、超音波探触子６側で反転検出を行うようにしてもよい。
【００５５】
以上説明したように、本発明の第３の実施の形態によれば、第１の実施の形態と同様な効果を得ることができる。また、第１の実施の形態に比べＩＤ用の端子を設けなくても、探触子側コネクタ６ｂの反転を簡略な構造により検出することができる。
【００５６】
（他の実施の形態）
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。
【図面の簡単な説明】
【００５７】
【図１】本発明の第１の実施の形態に係る超音波診断装置の概略構成を示す外観斜視図である。
【図２】図１に示す超音波診断装置がスタンドに設置された状態を示す外観斜視図である。
【図３】図１及び図２に示す超音波診断装置と超音波探触子との接続構造を説明するための説明図である。
【図４】本発明の第２の実施の形態に係る超音波診断装置と超音波探触子との接続構造を説明するための説明図である。
【図５】本発明の第３の実施の形態に係る超音波診断装置と超音波探触子との接続構造を説明するための説明図である。
【符号の説明】
【００５８】
１      超音波診断装置
２      装置本体
２ａ    装置側コネクタ
３      表示部
６      超音波探触子
６ａ    ケーブル
６ｂ    探触子側コネクタ
【図１】
2010022664.tif 000003
【図２】
2010022664.tif 000004
【図３】
2010022664.tif 000005
【図４】
2010022664.tif 000006
【図５】
2010022664.tif 000007